(57)【要約】【課題】  装置を大型化することなく電動機及び回転装置を共通のケースに収納する車両用駆動装置を提供する。【解決手段】  第２電動機Ｍ２のロータ７６及び変速機２０の入力軸７０をそれらの軸心まわりに回転可能に支持すると共に、ケース１２に固定される支持隔壁７２と、第２電動機Ｍ２のステータ７４をケース１２に固定するためのボルト８２と、支持隔壁７２をケース１２に固定するためのボルト８４とを、有し、ボルト８２及びボルト８４は、入力軸７０の軸心を中心とする周方向に関して異なる相対位置にて且つその入力軸７０の軸心から略等しい距離となるような締結部位にてステータ７４及び支持隔壁７２をケース１２に締結するものであることから、それらステータ７４および支持隔壁７２の締結部位が入力軸７０の回転方向で重ならず、駆動装置１０のステータ７４径方向の寸法を小さくできる。【選択図】  図１０
2006142848.tif 000002
【特許請求の範囲】
【請求項１】
電動機と、回転軸を備えた回転装置と、前記電動機及び回転装置を収納するケースとを、備えた車両用駆動装置であって、
前記電動機のロータ及び／又は前記回転装置の回転軸をそれらの軸心まわりに回転可能に支持すると共に、前記ケースに固定される支持隔壁と、
前記電動機のステータを前記ケースに固定するための第１の締結部材と、
前記支持隔壁を前記ケースに固定するための第２の締結部材とを、有し、
前記第１の締結部材及び第２の締結部材は、前記回転軸の軸心を中心とする周方向に関して異なる相対位置にて且つ該回転軸の軸心から略等しい距離となるような締結部位にて前記ステータ及び支持隔壁を前記ケースに締結するものであることを特徴とする車両用駆動装置。
【請求項２】
前記回転装置は、原動機の出力を変速して伝達するための変速機であり、前記回転軸は、前記原動機の出力を該変速機に入力するための入力軸である請求項１の車両用駆動装置。
【請求項３】
前記ステータとケースとの当接部位は、前記回転軸の軸方向に関して前記支持隔壁とケースとの当接部位とは異なる位置である請求項１又は２の車両用駆動装置。
【請求項４】
前記支持隔壁とケースとの嵌合周面は、前記支持隔壁のケースに対する締結部位よりも内周側である請求項１から３の何れかの車両用駆動装置。
【請求項５】
前記支持隔壁は、前記回転装置へ連通する油路を備えたものである請求項１から４の何れかの車両用駆動装置。
【発明の詳細な説明】
【技術分野】
【０００１】
本発明は、自動車等の車両において、原動機と駆動輪との間に設けられる駆動装置に関し、特に、装備の大型化を防ぐための技術に関する。
【背景技術】
【０００２】
自動車等の車両において、原動機と駆動輪との間に設けられる駆動装置の一例として、電動機と、回転軸を有する回転装置とを、備えた駆動装置が提案されている。例えば、特許文献１には、第１電動機のステータが固定される第１のケースと、第２電動機のステータが固定され且つそのロータを回転可能に支持する第２のケースと、前記回転装置である遊星歯車装置を有する第３のケースとを、備えた駆動装置が開示されており、この技術によれば、カバーの取付に伴い駆動ケースの外径が大きくなるのを抑制して、車両への搭載性を向上させることができる。
【０００３】
【特許文献１】特開２００３−１９１７５９号公報
【０００４】
ところで、前記従来の技術において、前記回転装置をケースに固定する場合、その回転装置の回転軸をその軸心まわりに回転可能に支持するための支持部材をそのケースに固定する必要がある。しかし、装置の剛性確保等を目的として前記電動機及び回転装置を共通のケースに配設する態様を考えると、前記電動機のステータを固定するための締結部材と、前記支持部材を固定するための締結部材との相対位置関係によっては、駆動装置が大型化する可能性があった。このため、装置を大型化することなく電動機及び回転装置を共通のケースに収納する駆動装置の開発が求められていた。
【発明の開示】
【発明が解決しようとする課題】
【０００５】
本発明は、以上の事情を背景として為されたものであり、その目的とするところは、装置を大型化することなく電動機及び回転装置を共通のケースに収納する車両用駆動装置を提供することにある。
【課題を解決するための手段】
【０００６】
斯かる目的を達成するために、本発明の要旨とするところは、電動機と、回転軸を備えた回転装置と、前記電動機及び回転装置を収納するケースとを、備えた車両用駆動装置であって、前記電動機のロータ及び／又は前記回転装置の回転軸をそれらの軸心まわりに回転可能に支持すると共に、前記ケースに固定される支持隔壁と、前記電動機のステータを前記ケースに固定するための第１の締結部材と、前記支持隔壁を前記ケースに固定するための第２の締結部材とを、有し、前記第１の締結部材及び第２の締結部材は、前記回転軸の軸心を中心とする周方向に関して異なる相対位置にて且つその回転軸の軸心から略等しい距離となるような締結部位にて前記ステータ及び支持隔壁を前記ケースに締結するものであることを特徴とするものである。
【発明の効果】
【０００７】
このようにすれば、前記電動機のロータ及び／又は前記回転装置の回転軸をそれらの軸心まわりに回転可能に支持すると共に、前記ケースに固定される支持隔壁と、前記電動機のステータを前記ケースに固定するための第１の締結部材と、前記支持隔壁を前記ケースに固定するための第２の締結部材とを、有し、前記第１の締結部材及び第２の締結部材は、前記回転軸の軸心を中心とする周方向に関して異なる相対位置にて且つその回転軸の軸心から略等しい距離となるような締結部位にて前記ステータ及び支持隔壁を前記ケースに締結するものであることから、前記ステータ及び支持隔壁の締結部位が前記回転軸の回転方向で重ならず、装置のステータ径方向の寸法を小さくできる。すなわち、装置を大型化することなく電動機及び回転装置を共通のケースに収納する車両用駆動装置を提供することができる。
【０００８】
ここで、好適には、前記回転装置は、原動機の出力を変速して伝達するための変速機であり、前記回転軸は、前記原動機の出力をその変速機に入力するための入力軸である。このようにすれば、装置を大型化することなく電動機及び変速機を共通のケースに収納する車両用駆動装置を提供することができる。
【０００９】
また、好適には、前記ステータとケースとの当接部位は、前記回転軸の軸方向に関して前記支持隔壁とケースとの当接部位とは異なる位置であり、好適には、前記支持隔壁とケースとの当接部位よりも前記ステータ側である。このようにすれば、前記回転軸の軸方向の寸法を小さくできるという利点がある。
【００１０】
また、好適には、前記支持隔壁とケースとの嵌合周面は、前記支持隔壁のケースに対する締結部位よりも内周側である。このようにすれば、前記支持隔壁のケースに対する当接面積を十分に確保できることに加え、加工が容易になるという利点がある。
【００１１】
また、好適には、前記支持隔壁は、前記回転装置へ連通する油路を備えたものである。このようにすれば、前記ケースとは異なる部材である前記支持隔壁に油路を形成することで、加工が容易になるという利点がある。
【発明を実施するための最良の形態】
【００１２】
以下、本発明の好適な実施例を図面に基づいて詳細に説明する。
【００１３】
図１は、本発明の一実施例であるハイブリッド車両用駆動装置１０（以下、駆動装置１０と表す）を説明する骨子図である。図１において、駆動装置１０は車体に取り付けられる非回転部材としてのトランスミッションケース１２（以下、ケース１２と表す）内において共通の軸心上に配設された入力回転部材としての駆動装置入力軸１４と、この駆動装置入力軸１４に直接に或いは図示しない脈動吸収ダンパ（振動減衰装置）などを介して間接に連結された差動機構としての動力分配機構１６と、その動力分配機構１６と駆動装置出力軸２２との間で伝達部材１８を介して直列に連結されている有段式の自動変速機２０と、この自動変速機２０に連結されている出力回転部材としての駆動装置出力軸２２とを備えている。本実施例では、上記自動変速機２０が、歯車装置すなわち回転装置である。
【００１４】
この駆動装置１０は、車両において縦置きされるＦＲ（フロントエンジン・リヤドライブ）型車両などに好適に用いられるものであり、図７に示すように、走行用の駆動力源としてのエンジン８と一対の駆動輪３８との間に設けられて、動力を差動歯車装置（終減速機）３６および一対の車軸等を順次介して一対の駆動輪３８へ伝達する。なお、駆動装置１０はその軸心に対して対称的に構成されているため、図１の駆動装置１０を表す部分においてはその下側が省略されている。
【００１５】
動力分配機構１６は、駆動装置入力軸１４に入力されたエンジン８の出力を機械的に合成し或いは分配する機械的機構であって、エンジン８の出力を第１電動機Ｍ１および伝達部材１８に分配し、或いはエンジン８の出力とその第１電動機Ｍ１の出力とを合成して伝達部材１８へ出力する。本実施例の第１電動機Ｍ１および第２電動機Ｍ２は、発電機能をも有する所謂モータジェネレータであるが、第１電動機Ｍ１は反力を発生させるためのジェネレータ（発電）機能を少なくとも備え、第２電動機Ｍ２は駆動力を出力するためのモータ（電動機）機能を少なくとも備える。
【００１６】
動力分配機構１６は、例えば「０．４１８」程度の所定のギヤ比ρ１を有するシングルピニオン型の第１遊星歯車装置２４と、切換クラッチＣ０および切換ブレーキＢ０とを備えている。この第１遊星歯車装置２４は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を回転要素（要素）として備えている。第１サンギヤＳ１の歯数をＺＳ１、第１リングギヤＲ１の歯数をＺＲ１とすると、上記ギヤ比ρ１はＺＳ１／ＺＲ１である。
【００１７】
この動力分配機構１６においては、第１キャリヤＣＡ１は駆動装置入力軸１４すなわちエンジン８に連結され、第１サンギヤＳ１は第１電動機Ｍ１に連結され、第１リングギヤＲ１は伝達部材１８に連結されている。また、切換ブレーキＢ０は第１サンギヤＳ１とケース１２との間に設けられ、切換クラッチＣ０は第１サンギヤＳ１と第１キャリヤＣＡ１との間に設けられている。それら切換クラッチＣ０および切換ブレーキＢ０が解放されると、第１サンギヤＳ１、第１キャリヤＣＡ１、第１サンギヤＳ１がそれぞれ相互に相対回転可能な差動作用が働く差動状態とされることから、エンジン８の出力が第１電動機Ｍ１と伝達部材１８とに分配され、第１電動機Ｍ１に分配されたエンジン８の出力で第１電動機Ｍ１が発電され、その発電された電気エネルギや、蓄電されていた電気エネルギで第２電動機Ｍ２が回転駆動されるので、例えば無段変速状態とされて、エンジン８の所定回転に拘わらず伝達部材１８の回転が連続的に変化させられる。すなわち、動力分配機構１６が、電気的にその変速比γ０（駆動装置入力軸１４の回転速度／伝達部材１８の回転速度）が最小値γ０minから最大値γ０maxまで変化させられる差動状態例えば変速比γ０が最小値γ０minから最大値γ０maxまで連続的に変化させられる電気的な無段変速機として機能する差動状態例えば無段変速状態とされる。
【００１８】
この状態で、エンジン８の出力で車両走行中に上記切換クラッチＣ０が係合させられて第１サンギヤＳ１と第１キャリヤＣＡ１とが一体的に係合させられると、第１遊星歯車装置２４の３要素Ｓ１、ＣＡ１、Ｒ１が一体回転させられるロック状態である非差動状態とされることから、エンジン８の回転と伝達部材１８の回転速度とが一致する状態となるので、動力分配機構１６は変速比γ０が「１」に固定された変速機として機能する定変速状態とされる。次いで、上記切換クラッチＣ０に替えて切換ブレーキＢ０が係合させられて第１サンギヤＳ１が非回転状態とされるロック状態である非差動状態とされると、第１リングギヤＲ１は第１キャリヤＣＡ１よりも増速回転されるので、動力分配機構１６は変速比γ０が「１」より小さい値例えば０．７程度に固定された増速変速機として機能する定変速状態とされる。このように、本実施例では、上記切換クラッチＣ０および切換ブレーキＢ０は、動力分配機構１６を、差動状態例えば変速比が連続的変化可能な電気的な無段変速機として作動可能な差動状態（無段変速状態）と、非差動状態例えば電気的な無段変速機として作動させず無段変速作動を非作動として変速比変化をロックするロック状態、すなわち１または２種類の変速比の単段または複数段の変速機として作動可能な定変速状態とに選択的に切換える差動状態切換装置として機能している。
【００１９】
自動変速機２０は、複数の遊星歯車装置、すなわち、シングルピニオン型の第２遊星歯車装置２６、シングルピニオン型の第３遊星歯車装置２８、およびシングルピニオン型の第４遊星歯車装置３０を備えている。第２遊星歯車装置２６は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、例えば「０．５６２」程度の所定のギヤ比ρ２を有している。第３遊星歯車装置２８は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、例えば「０．４２５」程度の所定のギヤ比ρ３を有している。第４遊星歯車装置３０は、第４サンギヤＳ４、第４遊星歯車Ｐ４、その第４遊星歯車Ｐ４を自転および公転可能に支持する第４キャリヤＣＡ４、第４遊星歯車Ｐ４を介して第４サンギヤＳ４と噛み合う第４リングギヤＲ４を備えており、例えば「０．４２１」程度の所定のギヤ比ρ４を有している。第２サンギヤＳ２の歯数をＺＳ２、第２リングギヤＲ２の歯数をＺＲ２、第３サンギヤＳ３の歯数をＺＳ３、第３リングギヤＲ３の歯数をＺＲ３、第４サンギヤＳ４の歯数をＺＳ４、第４リングギヤＲ４の歯数をＺＲ４とすると、上記ギヤ比ρ２はＺＳ２／ＺＲ２、上記ギヤ比ρ３はＺＳ３／ＺＲ３、上記ギヤ比ρ４はＺＳ４／ＺＲ４である。
【００２０】
自動変速機２０では、第２サンギヤＳ２と第３サンギヤＳ３とが一体的に連結されて第２クラッチＣ２を介して伝達部材１８に選択的に連結されるとともに第１ブレーキＢ１を介してケース１２に選択的に連結され、第２キャリヤＣＡ２は第２ブレーキＢ２を介してケース１２に選択的に連結され、第４リングギヤＲ４は第３ブレーキＢ３を介してケース１２に選択的に連結され、第２リングギヤＲ２と第３キャリヤＣＡ３と第４キャリヤＣＡ４とが一体的に連結されて駆動装置出力軸２２に連結され、第３リングギヤＲ３と第４サンギヤＳ４とが一体的に連結されて第１クラッチＣ１を介して伝達部材１８に選択的に連結されるようになっている。
【００２１】
前記切換クラッチＣ０、第１クラッチＣ１、第２クラッチＣ２、切換ブレーキＢ０、第１ブレーキＢ１、第２ブレーキＢ２、および第３ブレーキＢ３は従来の車両用自動変速機においてよく用いられている油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介装されている両側の部材を選択的に連結するためのものである。
【００２２】
以上のように構成された駆動装置１０では、例えば、図２の係合作動表に示されるように、前記切換クラッチＣ０、第１クラッチＣ１、第２クラッチＣ２、切換ブレーキＢ０、第１ブレーキＢ１、第２ブレーキＢ２、および第３ブレーキＢ３が選択的に係合作動させられることにより、第１速ギヤ段（第１変速段）乃至第５速ギヤ段（第５変速段）のいずれか或いは後進ギヤ段（後進変速段）或いはニュートラルが選択的に成立させられ、略等比的に変化する変速比γ（＝入力軸回転速度ＮＩＮ／出力軸回転速度ＮＯＵＴ）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、動力分配機構１６は前述した無段変速機として作動可能な無段変速状態に加え、１または２種類以上の変速比の単段または複数段の変速機として作動可能な定変速状態を構成することが可能とされている。したがって、駆動装置１０では、切換クラッチＣ０および切換ブレーキＢ０の何れかを係合作動させることで定変速状態とされた動力分配機構１６と自動変速機２０とで有段変速機が構成され、切換クラッチＣ０および切換ブレーキＢ０の何れも係合作動させないことで無段変速状態とされた動力分配機構１６と自動変速機２０とで無段変速機が構成される。
【００２３】
例えば、駆動装置１０が有段変速機として機能する場合には、図２に示すように、切換クラッチＣ０、第１クラッチＣ１および第３ブレーキＢ３の係合により、変速比γ１が最大値例えば「３．３５７」程度である第１速ギヤ段が成立させられ、切換クラッチＣ０、第１クラッチＣ１および第２ブレーキＢ２の係合により、変速比γ２が第１速ギヤ段よりも小さい値例えば「２．１８０」程度である第２速ギヤ段が成立させられ、切換クラッチＣ０、第１クラッチＣ１および第１ブレーキＢ１の係合により、変速比γ３が第２速ギヤ段よりも小さい値例えば「１．４２４」程度である第３速ギヤ段が成立させられ、切換クラッチＣ０、第１クラッチＣ１および第２クラッチＣ２の係合により、変速比γ４が第３速ギヤ段よりも小さい値例えば「１．０００」程度である第４速ギヤ段が成立させられ、第１クラッチＣ１、第２クラッチＣ２、および切換ブレーキＢ０の係合により、変速比γ５が第４速ギヤ段よりも小さい値例えば「０．７０５」程度である第５速ギヤ段が成立させられる。また、第２クラッチＣ２および第３ブレーキＢ３の係合により、変速比γＲが第１速ギヤ段と第２速ギヤ段との間の値例えば「３．２０９」程度である後進ギヤ段が成立させられる。なお、ニュートラル「Ｎ」状態とする場合には、例えば切換クラッチＣ０のみが係合される。
【００２４】
しかし、駆動装置１０が無段変速機として機能する場合には、図２に示される係合表の切換クラッチＣ０および切換ブレーキＢ０が共に解放される。これにより、動力分配機構１６が無段変速機として機能し、それに直列の自動変速機２０が有段変速機として機能することにより、自動変速機２０の第１速、第２速、第３速、第４速の各ギヤ段に対しその自動変速機２０に入力される回転速度すなわち伝達部材１８の回転速度が無段的に変化させられて各ギヤ段は無段的な変速比幅が得られる。したがって、その各ギヤ段の間が無段的に連続変化可能な変速比となって駆動装置１０全体としてのトータル変速比γＴが無段階に得られるようになる。
【００２５】
図３は、無段変速部或いは第１変速部として機能する動力分配機構１６と有段変速部或いは第２変速部として機能する自動変速機２０とから構成される駆動装置１０において、ギヤ段毎に連結状態が異なる各回転要素の回転速度の相対関係を直線上で表すことができる共線図である。この図３の共線図は、横軸方向において各遊星歯車装置２４、２６、２８、３０のギヤ比ρの相対関係を示し、縦軸方向において相対的回転速度を示す二次元座標であり、３本の横軸のうちの下側の横線Ｘ１が回転速度零を示し、上側の横線Ｘ２が回転速度「１．０」すなわち駆動装置入力軸１４に連結されたエンジン８の回転速度ＮＥを示し、横軸ＸＧが伝達部材１８の回転速度を示している。また、動力分配機構１６の３本の縦線Ｙ１、Ｙ２、Ｙ３は、左側から順に第２回転要素（第２要素）ＲＥ２に対応する第１サンギヤＳ１、第１回転要素（第１要素）ＲＥ１に対応する第１キャリヤＣＡ１、第３回転要素（第３要素）ＲＥ３に対応する第１リングギヤＲ１の相対回転速度を示すものであり、それらの間隔は第１遊星歯車装置２４のギヤ比ρ１に応じて定められている。すなわち、縦線Ｙ１とＹ２との間隔を１に対応するとすると、縦線Ｙ２とＹ３との間隔はギヤ比ρ１に対応するものとされる。さらに、自動変速機２０の５本の縦線Ｙ４、Ｙ５、Ｙ６、Ｙ７、Ｙ８は、左から順に、第４回転要素（第４要素）ＲＥ４に対応し且つ相互に連結された第２サンギヤＳ２および第３サンギヤＳ３を、第５回転要素（第５要素）ＲＥ５に対応する第２キャリヤＣＡ２を、第６回転要素（第６要素）ＲＥ６に対応する第４リングギヤＲ４を、第７回転要素（第７要素）ＲＥ７に対応し且つ相互に連結された第２リングギヤＲ２、第３キャリヤＣＡ３、第４キャリヤＣＡ４を、第８回転要素（第８要素）ＲＥ８に対応し且つ相互に連結された第３リングギヤＲ３、第４サンギヤＳ４をそれぞれ表し、それらの間隔は第２、第３、第４遊星歯車装置２６、２８、３０のギヤ比ρ２、ρ３、ρ４に応じてそれぞれ定められている。すなわち、図３に示すように、各第２、第３、第４遊星歯車装置２６、２８、３０毎にそのサンギヤとキャリヤとの間が１に対応するものとされ、キャリヤとリングギヤとの間がρに対応するものとされる。
【００２６】
上記図３の共線図を用いて表現すれば、本実施例の駆動装置１０は、動力分配機構（無段変速部）１６において、第１遊星歯車装置２４の３回転要素（要素）の１つである第１回転要素ＲＥ１（第１キャリヤＣＡ１）が駆動装置入力軸１４に連結されるとともに切換クラッチＣ０を介して他の回転要素の１つである第１サンギヤＳ１と選択的に連結され、その他の回転要素の１つである第２回転要素ＲＥ２（第１サンギヤＳ１）が第１電動機Ｍ１に連結されるとともに切換ブレーキＢ０を介してトランスミッションケース１２に選択的に連結され、残りの回転要素である第３回転要素ＲＥ３（第１リングギヤＲ１）が伝達部材１８および第２電動機Ｍ２に連結されて、駆動装置入力軸１４の回転を前記伝達部材１８を介して自動変速機（有段変速部）２０へ伝達する（入力させる）ように構成されている。このとき、Ｙ２とＸ２の交点を通る斜めの直線Ｌ０により第１サンギヤＳ１の回転速度と第１リングギヤＲ１の回転速度との関係が示される。
【００２７】
図４および図５は上記図３の共線図の動力分配機構１６部分に相当する図である。図４は上記切換クラッチＣ０および切換ブレーキＢ０の解放により無段変速状態に切換えられたときの動力分配機構１６の状態の一例を表している。例えば、第１電動機Ｍ１の発電による反力を制御することによって直線Ｌ０と縦線Ｙ１との交点で示される第１サンギヤＳ１の回転が上昇或いは下降させられると、直線Ｌ０と縦線Ｙ３との交点で示される第１リングギヤＲ１の回転速度が下降或いは上昇させられる。
【００２８】
また、図５は切換クラッチＣ０の係合により有段変速状態に切換えられたときの動力分配機構１６の状態を表している。つまり、第１サンギヤＳ１と第１キャリヤＣＡ１とが連結されると、上記３回転要素が一体回転するので、直線Ｌ０は横線Ｘ２と一致させられ、エンジン回転速度ＮＥと同じ回転で伝達部材１８が回転させられる。或いは、切換ブレーキＢ０の係合によって第１サンギヤＳ１の回転が停止させられると、直線Ｌ０は図３に示す状態となり、その直線Ｌ０と縦線Ｙ３との交点で示される第１リングギヤＲ１すなわち伝達部材１８の回転速度は、エンジン回転速度ＮＥよりも増速された回転で自動変速機２０へ入力される。
【００２９】
また、自動変速機２０において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は第３ブレーキＢ３を介してケース１２に選択的に連結され、第７回転要素ＲＥ７は駆動装置出力軸２２に連結され、第８回転要素ＲＥ８は第１クラッチＣ１を介して伝達部材１８に選択的に連結されている。
【００３０】
自動変速機２０では、図３に示すように、第１クラッチＣ１と第３ブレーキＢ３とが係合させられることにより、第８回転要素ＲＥ８の回転速度を示す縦線Ｙ８と横線Ｘ２との交点と第６回転要素ＲＥ６の回転速度を示す縦線Ｙ６と横線Ｘ１との交点とを通る斜めの直線Ｌ１と、駆動装置出力軸２２と連結された第７回転要素ＲＥ７の回転速度を示す縦線Ｙ７との交点で第１速の駆動装置出力軸２２の回転速度が示される。同様に、第１クラッチＣ１と第２ブレーキＢ２とが係合させられることにより決まる斜めの直線Ｌ２と駆動装置出力軸２２と連結された第７回転要素ＲＥ７の回転速度を示す縦線Ｙ７との交点で第２速の駆動装置出力軸２２の回転速度が示され、第１クラッチＣ１と第１ブレーキＢ１とが係合させられることにより決まる斜めの直線Ｌ３と駆動装置出力軸２２と連結された第７回転要素ＲＥ７の回転速度を示す縦線Ｙ７との交点で第３速の駆動装置出力軸２２の回転速度が示され、第１クラッチＣ１と第２クラッチＣ２とが係合させられることにより決まる水平な直線Ｌ４と駆動装置出力軸２２と連結された第７回転要素ＲＥ７の回転速度を示す縦線Ｙ７との交点で第４速の駆動装置出力軸２２の回転速度が示される。上記第１速乃至第４速では、切換クラッチＣ０が係合させられている結果、エンジン回転速度ＮＥと同じ回転速度で第８回転要素ＲＥ８に動力分配機構１６からの動力が入力される。しかし、切換クラッチＣ０に替えて切換ブレーキＢ０が係合させられると、動力分配機構１６からの動力がエンジン回転速度ＮＥよりも高い回転速度で入力されることから、第１クラッチＣ１、第２クラッチＣ２、および切換ブレーキＢ０が係合させられることにより決まる水平な直線Ｌ５と駆動装置出力軸２２と連結された第７回転要素ＲＥ７の回転速度を示す縦線Ｙ７との交点で第５速の駆動装置出力軸２２の回転速度が示される。また、第２クラッチＣ２と第３ブレーキＢ３とが係合させられることにより決まる斜めの直線ＬＲと駆動装置出力軸２２と連結された第７回転要素ＲＥ７の回転速度を示す縦線Ｙ７との交点で後進Ｒの駆動装置出力軸２２の回転速度が示される。
【００３１】
図６は、本実施例の駆動装置１０を制御するための電子制御装置４０に入力される信号及びその電子制御装置４０から出力される信号を例示している。この電子制御装置４０は、ＣＰＵ、ＲＯＭ、ＲＡＭ、及び入出力インターフェースなどから成る所謂マイクロコンピュータを含んで構成されており、ＲＡＭの一時記憶機能を利用しつつＲＯＭに予め記憶されたプログラムに従って信号処理を行うことによりエンジン８、電動機Ｍ１、Ｍ２に関するハイブリッド駆動制御、前記自動変速機２０の変速制御等の駆動制御を実行するものである。
【００３２】
上記電子制御装置４０には、図６に示す各センサやスイッチから、エンジン水温を示す信号、シフトポジションを表す信号、エンジン８の回転速度であるエンジン回転速度ＮＥを表す信号、ギヤ比列設定値を示す信号、Ｍ（モータ走行）モードを指令する信号、エアコンの作動を示すエアコン信号、駆動装置出力軸２２の回転速度に対応する車速信号、自動変速機２０の作動油温を示す油温信号、サイドブレーキ操作を示す信号、フットブレーキ操作を示す信号、触媒温度を示す触媒温度信号、アクセルペダルの操作量を示すアクセル開度信号、カム角信号、スノーモード設定を示すスノーモード設定信号、車両の前後加速度を示す加速度信号、オートクルーズ走行を示すオートクルーズ信号、車両の重量を示す車重信号、各駆動輪の車輪速を示す車輪速信号、駆動装置１０を有段変速機として機能させるために動力分配機構１６を定変速状態に切り換えるための有段スイッチ操作の有無を示す信号、駆動装置１０を無段変速機として機能させるために動力分配機構１６を無段変速状態に切り換えるための無段スイッチ操作の有無を示す信号、第１電動機Ｍ１の回転速度ＮＭ１を表す信号、第２電動機Ｍ２の回転速度ＮＭ２を表す信号などが、それぞれ供給される。また、上記電子制御装置４０からは、スロットル弁の開度を操作するスロットルアクチュエータへの駆動信号、過給圧を調整するための過給圧調整信号、電動エアコンを作動させるための電動エアコン駆動信号、エンジン８の点火時期を指令する点火信号、電動機Ｍ１およびＭ２の作動を指令する指令信号、シフトインジケータを作動させるためのシフトポジション（操作位置）表示信号、ギヤ比を表示させるためのギヤ比表示信号、スノーモードであることを表示させるためのスノーモード表示信号、制動時の車輪のスリップを防止するＡＢＳアクチュエータを作動させるためのＡＢＳ作動信号、Ｍモードが選択されていることを表示させるＭモード表示信号、動力分配機構１６や自動変速機２０の油圧式摩擦係合装置の油圧アクチュエータを制御するために油圧制御回路４２に含まれる電磁弁を作動させるバルブ指令信号、上記油圧制御回路４２の油圧源である電動油圧ポンプを作動させるための駆動指令信号、電動ヒータを駆動するための信号、クルーズコントロール制御用コンピュータへの信号等が、それぞれ出力される。
【００３３】
図７は、駆動装置１０の制御方法すなわち電子制御装置４０による制御機能の要部を説明する機能ブロック線図である。切換制御手段５０は、例えば図８或いは図９に示す予め記憶された関係に基づいて、駆動装置１０を無段変速状態とする無段制御領域内であるか或いは駆動装置１０を有段変速状態とする有段制御領域内であるかを判定する。図８に示す関係（切換マップ）を用いる場合には、実際のエンジン回転速度ＮＥとハイブリッド車両の駆動力に関連する駆動力関連値、例えばエンジン出力トルクＴＥとで表される車両状態に基づいて上記判定を行う。
【００３４】
図８に示される関係では、エンジン８の出力トルクＴＥが予め設定された所定値ＴＥ１以上の高トルク領域（高出力走行領域）、エンジン回転速度ＮＥが予め設定された所定値ＮＥ１以上の高回転領域すなわちエンジン回転速度ＮＥとトータル変速比γＴとで一意的に決められる車両状態の１つである車速が所定値以上の高車速領域、或いはそれらエンジン８の出力トルクＴＥおよび回転速度ＮＥから算出される出力が所定以上の高出力領域が、有段制御領域として設定されている。従って、エンジン８の比較的高出力トルク、比較的高回転速度、或いは比較的高出力時には有段変速制御は実行され、アップシフトに伴うエンジン回転速度ＮＥの変化すなわち変速に伴うリズミカルなエンジン８の回転速度の変化が発生する。或いは、他の考え方として、この高出力走行においては燃費に対する要求より運転者の駆動力に対する要求が重視されるので、無段変速状態より有段変速状態（定変速状態）に切り換えられるのである。これによって、ユーザは、リズミカルなエンジン回転速度ＮＥの変化を楽しむことができる。一方、エンジン８の比較的低出力トルク、比較的低回転速度、或いは比較的低出力時すなわちエンジン８の常用出力域では無段変速制御が実行されるようになっている。図８における有段制御領域と無段制御領域との間の境界線は、例えば高車速判定値の連なりである高車速判定線および高出力走行判定値の連なりである高出力走行判定線に対応している。
【００３５】
一方、図９に示す関係を用いる場合には、実際の車速Ｖと駆動力関連値である出力トルクＴＯＵＴとに基づいて上記判定を行う。図９では、破線が、無段変速を有段変速に切り換える所定条件を定める判定車速Ｖ１および判定出力トルクＴ１を示し、二点差線が、有段変速を無段変速に切り換える際の条件を示している。このように、有段制御領域と無段制御領域と切換の判定にヒステリシスが設けられている。なお、図９において、太線５６で示す境界よりも低出力トルク側および低車速側は電動機の駆動力で走行するモータ走行領域である。また、図９には、車速Ｖと出力トルクＴＯＵＴとをパラーメタとする変速線図も示されている。
【００３６】
そして、切換制御手段５０は、有段変速制御領域であると判定した場合は、ハイブリッド制御手段５２に対してハイブリッド制御或いは無段変速制御を不許可（禁止）とする信号を出力するとともに、有段変速制御手段５４に対しては、予め設定された有段変速時の変速制御を許可する。このときの有段変速制御手段５４は、前記判定が図８に基づいて行われた場合には、予め記憶された図示しない変速線図に従って自動変速制御を実行し、前記判定が図９に基づいて行われた場合には、その図９に示される変速線図に従って自動変速制御を実行する。
【００３７】
図２は、このときの変速制御において選択される油圧式摩擦係合装置すなわちＣ０、Ｃ１、Ｃ２、Ｂ０、Ｂ１、Ｂ２、Ｂ３の作動の組み合わせを示している。この有段自動変速制御モードの第１速乃至第４速では、切換クラッチＣ０が係合させられることにより動力分配機構１６が固定の変速比γ０が１の副変速機として機能しているが、第５速では、その切換クラッチＣ０の係合に替えて切換ブレーキＢ０が係合させられることにより動力分配機構１６が固定の変速比γ０が例えば０．７程度の副変速機として機能している。すなわち、この有段自動変速制御モードでは、副変速機として機能する動力分配機構１６と自動変速機２０とを含む駆動装置１０全体が所謂自動変速機として機能している。
【００３８】
なお、前記駆動力関連値とは、車両の駆動力に１対１に対応するパラメータであって、駆動輪３８での駆動トルク或いは駆動力のみならず、例えば自動変速機２０の出力トルクＴＯＵＴ、エンジン出力トルクＴＥ、車両加速度や、例えばアクセル開度或いはスロットル開度（或いは吸入空気量、空燃比、燃料噴射量）とエンジン回転速度ＮＥとによって算出されるエンジン出力トルクＴＥなどの実際値や、運転者のアクセルペダル操作量或いはスロットル開度に基づいて算出されるエンジン出力トルクＴＥや要求駆動力等の推定値であってもよい。また、上記駆動トルクは出力トルクＴＯＵＴ等からデフ比、駆動輪３８の半径等を考慮して算出されてもよいし、例えばトルクセンサ等によって直接検出されてもよい。上記他の各トルク等も同様である。
【００３９】
一方、上記切換制御手段５０において無段制御領域内であると判定した場合は、前記動力分配機構１６を電気的な無段変速可能とするように切換クラッチＣ０および切換ブレーキＢ０を解放させる指令を油圧制御回路４２へ出力する。同時に、ハイブリッド制御手段５２に対してハイブリッド制御を許可する信号を出力するとともに、有段変速制御手段５４には、予め設定された無段変速時の変速段に固定する信号を出力するか、或いは予め記憶された変速線図に従って自動変速することを許可する信号を出力する。後者の場合、有段変速制御手段５４により、図２の係合表内において切換クラッチＣ０および切換ブレーキＢ０の係合を除いた作動により自動変速が行われる。このように、動力分配機構１６が無段変速機として機能し、それに直列の自動変速機２０が有段変速機として機能することにより、適切な大きさの駆動力が得られると同時に、前述のように、自動変速機２０の第１速、第２速、第３速、第４速の各ギヤ段に対しその自動変速機２０に入力される回転速度すなわち伝達部材１８の回転速度が無段的に変化させられて各ギヤ段は無段的な変速比幅が得られる。したがって、その各ギヤ段の間が無段的に連続変化可能な変速比となって駆動装置１０全体としてのトータル変速比γＴが無段階に得られるようになる。
【００４０】
上記ハイブリッド制御手段５２は、エンジン８を効率のよい作動域で作動させる一方で、エンジン８と第１電動機Ｍ１および／または第２電動機Ｍ２との駆動力の配分を最適になるように変化させる。例えば、そのときの走行車速において、アクセルペダル操作量や車速から運転者の要求出力を算出し、運転者の要求出力と充電要求値から必要な駆動力を算出し、エンジンの回転速度とトータル出力とを算出し、そのトータル出力とエンジン回転速度ＮＥとに基づいて、エンジン出力を得るようにエンジン８を制御するとともに第１電動機Ｍ１の発電量を制御する。ハイブリッド制御手段５２は、その制御を自動変速機２０の変速段を考慮して実行したり、或いは燃費向上などのために自動変速機２０に変速指令を行う。このようなハイブリッド制御では、エンジン８を効率のよい作動域で作動させるために定まるエンジン回転速度ＮＥと車速および自動変速機２０の変速段で定まる伝達部材１８の回転速度とを整合させるために、動力分配機構１６が電気的な無段変速機として機能させられる。すなわち、ハイブリッド制御手段５２は無段変速走行の時に運転性と燃費性とを両立した予め記憶された最適燃費率曲線に沿ってエンジン８が作動させられるように駆動装置１０のトータル変速比γＴの目標値を定め、その目標値が得られるように動力分配機構１６の変速比γ０を制御し、トータル変速比γＴをその変速可能な変化範囲内で制御することになる。
【００４１】
このとき、ハイブリッド制御手段５２は、第１電動機Ｍ１により発電された電気エネルギをインバータ５８を通して蓄電装置６０や第２電動機Ｍ２へ供給するので、エンジン８の動力の主要部は機械的に伝達部材１８へ伝達されるが、エンジン８の動力の一部は第１電動機Ｍ１の発電のために消費されてそこで電気エネルギに変換され、インバータ５８を通して電気エネルギが第２電動機Ｍ２或いは第１電動機Ｍ１へ供給され、その第２電動機Ｍ２或いは第１電動機Ｍ１から伝達部材１８へ伝達される。この電気エネルギの発生から第２電動機Ｍ２で消費されるまでに関連する機器により、エンジン８の動力の一部を電気エネルギに変換し、その電気エネルギを機械的エネルギに変換するまでの電気パスが構成される。また、ハイブリッド制御手段５２は、エンジン８の停止又はアイドル状態に拘わらず、動力分配機構１６の電気的ＣＶＴ機能によってモータ走行させることができる。
【００４２】
上記切換制御手段５０、ハイブリッド制御手段５２、有段変速制御手段５４により、車両の低中速走行および低中出力走行となるようなエンジンの常用出力域では動力分配機構１６が無段変速状態とされてハイブリッド車両の燃費性能が確保されるが、高速走行或いはエンジン８の高回転域では動力分配機構１６が定変速状態とされ専ら機械的な動力伝達経路でエンジン８の出力が駆動輪３８へ伝達されて動力と電気との間の変換損失が抑制されて燃費が向上させられる。また、エンジン８の高出力域では動力分配機構１６が定変速状態とされて無段変速状態として作動させる領域が車両の低中速走行および低中出力走行となるので、第１電動機Ｍ１が発生すべき電気的エネルギすなわちが第１電動機Ｍ１が伝える電気的エネルギの最大値を小さくできて、換言すれば第１電動機Ｍ１の保障すべき電気的反力を小さくできてその第１電動機Ｍ１や第２電動機Ｍ２、或いはそれを含む駆動装置１０が一層小型化される。
【００４３】
図１０は、前記駆動装置１０の一部の断面を示す要部断面図であり、図１１は、前記駆動装置１０の図１０とは異なる断面を示す要部断面図である。これらの図に示すように、本実施例における歯車軸すなわち回転軸である自動変速機２０の入力軸７０の駆動装置出力軸２２側（図右側）の端部には支持隔壁７２が外嵌されている。この支持隔壁７２は、軸方向に延び、軸心を前記入力軸７０と同じくする内周側筒部７２ａと、内周端がその内周側筒部７２ａの第２電動機Ｍ２側の端に連結されて径方向の外側に向かう隔壁部７２ｂと、その隔壁部７２ｂの外周端に軸方向の一端が連結されて軸方向の第２電動機Ｍ２と対向する側へ延び、且つ、径方向にも比較的肉厚とされた外周側筒部７２ｃとから構成されている。この支持隔壁７２は、図１１に示すように、第２の締結部材である複数（例えば３本）のボルト８４が、その支持隔壁７２を介挿した状態で同数のボルト孔９２にそれぞれ螺合されることにより前記ケースに固定されている。
【００４４】
上記支持隔壁７２に対して自動変速機２０とは反対側に配置された第２電動機Ｍ２は、ステータ（固定子）７４と、ロータ（回転子）７６と、そのロータ７６と一体回転するロータ支持軸７８とを備えている。このロータ支持軸７８の支持隔壁７２側は、図１０または図１１に示すように、スプライン８６により入力軸７０に連結されているので、そのロータ支持軸７８と入力軸７０とは一体回転させられる。また、ロータ支持軸７８の駆動装置出力軸２２側の端は、前記内周側筒部７２ａの第２電動機Ｍ２側の内周面に当接させられたベアリング８０を介して、支持隔壁７２に支持されている。また、上記ステータ７４は、図１０に示すように、第１の締結部材である複数（例えば３本）のボルト８２が、そのステータ７４を介挿した状態で同数のボルト孔９０にそれぞれ螺合されることにより前記ケース１２に固定されている。
【００４５】
前記支持隔壁７２は、ケース１２に対してインロー構造となっている。すなわち、支持隔壁７２の外周側筒部７２ｃの外周面７２ｄは、ケース１２の内周面に形成された軸方向に平行な当接周面１２ａに対して当接させられており、ボルト８２により固定されていない状態では、外周側筒部７２ｃの外周面７２ｄは当接周面１２ａに対して摺動可能となっている。すなわち、前記支持隔壁７２の側では、外周側筒部７２ｃの外周面７２ｄがケース１２との嵌合周面に相当し、ケース１２の側では、その内周面に形成された当接周面１２ａが支持隔壁７２との嵌合周面に相当する。このような構成により、支持隔壁７２を圧入することなく、ケース１２に嵌め入れることができる。
【００４６】
また、図１１に示すように、外周側筒部７２ｃの第２電動機Ｍ２とは反対側の側面７２ｅは、上記当接周面１２ａの一端から径方向外側に向かうようにケース１２に形成された第１当接面１２ｂに当接させられている。従って、支持隔壁７２は、外周側筒部７２ｃの外周面７２ｄおよび側面７２ｅがそれぞれケース１２の当接周面１２ａおよび第１当接面１２ｂに当接するようにケース１２に嵌め入れられるだけで、その軸方向および径方向の位置が精度良く定まる。前記入力軸７０の駆動装置出力軸２２側の端は、上記支持隔壁７２の内周側筒部７２ａの内周に設けられたベアリング８０を介して、その支持隔壁７２の内周側筒部７２ａに相対回転可能に支持されている。
【００４７】
図１２は、図１０の駆動装置１０を矢印XIIで示す方向から見た図であり、前記ケース１２に固定された支持隔壁７２におけるそのケース１２との相対位置関係を説明する要部正面図である。この図１２では、説明の便宜のために、前記ケース１２と支持隔壁７２との締結部位のみを示しており、前記入力軸７０、ステータ７４、ロータ７６、及び前記ケース１２の外縁等は省略している。また、前記ボルト８２に関しては断面にてその締結部位を示している。この図１２に示すように、第１の締結部材であるボルト８２及び第２の締結部材であるボルト８４は、前記支持隔壁７２の回転周方向に関して異なる相対位置にて且つその回転軸心から略等しい距離ｒとなるように前記ケース１２に締結されている。すなわち、回転軸心を中心とする半径ｒの円周上に互い違いに締結されている。この支持隔壁７２の回転周方向は、前記入力軸７０の軸心を中心とするものであり、換言すれば、前記ボルト８２およびボルト８４は、前記入力軸７０の軸心を中心とする周方向に関して異なる相対位置にて且つその入力軸７０の軸心から略等しい距離ｒとなるように前記ケース１２に締結されている。ここで、略等しい距離とは、支持隔壁７２の締結部位がステータ７４の締結部位に対して内周側である場合には、第２電動機Ｍ２のケース１２への収納に対して支障とならない程度の距離であり、外周側である場合には、本発明の効果である搭載性向上が抑制されない程度の距離である。このように、前記支持隔壁７２の回転周方向に関して前記ボルト８２およびボルト８４の固定位置を相違させていることで、それらを径方向にオフセットする場合に比べ、径方向の寸法を小さく抑えることができる。
【００４８】
また、図１０に示すように、前記ステータ７４は、前記ケース１２の支持隔壁７２に対する当接周面７２ａの一端から径方向外側に向かうようにケース１２に形成された第２当接面１２ｃに当接させられることにより、そのケース１２に対する軸方向の位置が定まるようになっている。このステータ７４とケース１２との当接部位である第２当接面１２ｃは、前記入力軸７０の軸方向（軸心方向）に関して前記支持隔壁７２とケース１２との当接部位すなわち第１当接面１２ｂとは異なる位置であり、好適には、その第１当接面１２ｂよりも前記ステータ７４側である。斯かる構成により、ケース１２に穿設されるボルト８２を螺合するためのボルト孔９０を設けるためにそのケース１２の肉厚部分を延長する必要がなく、後方（すなわち図面向かって右方向）への延在を避けることができ、また、ボルト８２がない部分は空洞とすることにより、装置を軽量化することができる。また、前記ステータ７４をケース１２にスペーサを介することなく直接固定する構成により、その固定が安定するという利点がある。
【００４９】
また、図１１および図１２に示すように、前記支持隔壁７２とケース１２との嵌合周面である当接周面１２ａは、第１の締結部材である複数のボルト８４による支持隔壁７２のケース１２に対する締結部位よりも前記入力軸７４側である。前述のようにステータ７４がケース１２に前記支持隔壁７２を介装することなく当接させられた状態で固定される態様において、前記複数のボルト８４による支持隔壁７２のケース１２に対する締結部位よりも外周側にインロー構造が形成されている場合には、そのインロー構造を周方向に分断する必要があることから、加工が困難になることに加え、嵌合長が十分に確保できない可能性がある。本実施例においては、前記複数のボルト８４による支持隔壁７２のケース１２に対する締結部位よりも内周側にインロー構造が形成されているため、嵌合周面である前記外周面７２ｄが周方向に連続しており、加工が容易であるという利点がある。
【００５０】
また、図１１に示すように、前記支持隔壁７２には、前記変速機２０へ連通する油路８８が穿設されている。図示しないオイルポンプから供給される油圧は、その油路８８を介して前記変速機２０へ供給されるようになっており、前記変速機２０の潤滑に用いられたり、或いはその変速機２０に含まれる摩擦係合装置を係合させるための作動油として用いられるようになっている。比較的小型の部材である支持隔壁７２への油路の形成は、ケース１２へ油路を形成する場合に比べて簡単であるため、斯かる構成により、変速機２０への油路配策が容易となるという利点がある。
【００５１】
このように、本実施例によれば、前記第２電動機Ｍ２のロータ７６及び／又は回転装置である前記変速機２０の入力軸７０をそれらの軸心まわりに回転可能に支持すると共に、前記ケース１２に固定される支持隔壁７２と、前記第２電動機Ｍ２のステータ７４を前記ケース１２に固定するための第１の締結部材であるボルト８２と、前記支持隔壁７２を前記ケース１２に固定するための第２の締結部材であるボルト８４とを、有し、前記ボルト８２及びボルト８４は、前記入力軸７０の軸心を中心とする周方向に関して異なる相対位置にて且つその入力軸７０の軸心から略等しい距離となるような締結部位にて前記ステータ７４及び支持隔壁７２を前記ケース１２に締結するものであることから、前記ステータ７４及び支持隔壁７２の締結部位が前記入力軸７０の回転方向で重ならず、装置のステータ７４径方向の寸法を小さくできる。すなわち、装置を大型化することなく電動機及び回転装置を共通のケースに収納する駆動装置１０を提供することができる。
【００５２】
また、前記回転装置は、原動機であるエンジン８の出力を変速して伝達するための変速機２０であり、前記回転軸は、前記エンジン８の出力をその変速機２０に入力するための入力軸７０であるため、装置を大型化することなく第２電動機Ｍ２及び変速機２０を共通のケースに収納する駆動装置１０を提供することができる。
【００５３】
また、前記ステータ７４とケース１２との当接部位である第２当接面１２ｃは、前記入力軸７０の軸方向に関して前記支持隔壁７２とケース１２との当接部位である第１当接面１２ｂとは異なる位置であるため、前記入力軸７０の軸方向の寸法を小さくできるという利点がある。
【００５４】
また、前記支持隔壁７２とケース１２との嵌合周面である当接周面１２ａは、前記支持隔壁７２のケース１２に対する締結部位よりも内周側であるため、その支持隔壁７２のケース１２に対する当接面積を十分に確保できることに加え、加工が容易になるという利点がある。
【００５５】
また、前記支持隔壁７２は、前記変速機２０へ連通する油路８８を備えたものであるため、前記ケース１２とは異なる部材である前記支持隔壁７２に油路８８を形成することで、加工が容易になるという利点がある。
【００５６】
以上、本発明の実施例を図面に基づいて詳細に説明したが、本発明はその他の態様においても適用される。
【００５７】
例えば、前述の実施例の駆動装置１０は、動力分配機構１６が差動状態と非差動状態とに切り換えられることで電気的な無段変速機としての機能する無段変速状態と有段変速機として機能する有段変速状態とに切り換え可能に構成されていたが、無段変速状態と有段変速状態との切換えは動力分配機構１６の差動状態と非差動状態との切換えにおける一態様であり、例えば動力分配機構１６が差動状態であっても動力分配機構１６の変速比を連続的ではなく段階的に変化させて有段変速機として機能させられてもよい。言い換えれば、駆動装置１０（動力分配機構１６）の差動状態／非差動状態と、無段変速状態／有段変速状態とは必ずしも一対一の関係にある訳ではないので、駆動装置１０は必ずしも無段変速状態と有段変速状態とに切り換え可能に構成される必要はない。
【００５８】
また、前述の実施例の動力分配機構１６では、第１キャリヤＣＡ１がエンジン８に連結され、第１サンギヤＳ１が第１電動機Ｍ１に連結され、第１リングギヤＲ１が伝達部材１８に連結されていたが、それらの連結関係は、必ずしもそれに限定されるものではなく、エンジン８、第１電動機Ｍ１、伝達部材１８は、第１遊星歯車装置２４の３要素ＣＡ１、Ｓ１、Ｒ１のうちのいずれと連結されていても差し支えない。
【００５９】
また、前述の実施例では、エンジン８は駆動装置入力軸１４と直結されていたが、例えばギヤ、ベルト等を介して作動的に連結されておればよく、共通の軸心上に配置される必要もない。
【００６０】
また、前述の実施例では、第１電動機Ｍ１および第２電動機Ｍ２は、駆動装置入力軸１４の回転中心を回転中心として配置されて、第１電動機Ｍ１は第１サンギヤＳ１に連結され、第２電動機Ｍ２は伝達部材１８に連結されていたが、必ずしもそのように配置される必要はなく、例えばギヤ、ベルト等を介して作動的に第１電動機Ｍ１は第１サンギヤＳ１に連結され、第２電動機Ｍ２は伝達部材１８に連結されてもよい。
【００６１】
また、前述の動力分配機構１６には切換クラッチＣ０および切換ブレーキＢ０が備えられていたが、切換クラッチＣ０および切換ブレーキＢ０の一方のみが備えられていてもよいし、両方とも備えられていなくてもよい。また、上記切換クラッチＣ０は、サンギヤＳ１とキャリヤＣＡ１とを選択的に連結するものであったが、サンギヤＳ１とリングギヤＲ１との間や、キャリヤＣＡ１とリングギヤＲ１との間を選択的に連結するものであってもよい。要するに、第１遊星歯車装置２４の３要素のうちのいずれか２つを相互に連結するものであればよい。
【００６２】
また、前述の実施例の駆動装置１０では、ニュートラル「Ｎ」とする場合には切換クラッチＣ０が係合されていたが、必ずしも係合される必要はない。
【００６３】
また、前述の実施例の切換クラッチＣ０および切換ブレーキＢ０などの油圧式摩擦係合装置が、パウダー（磁粉）クラッチ、電磁クラッチ、噛み合い型のドグクラッチなどの磁粉式、電磁式、機械式係合装置から構成されていてもよい。
【００６４】
また、前述の実施例では、駆動装置１０はエンジン８以外に第１電動機Ｍ１或いは第２電動機Ｍ２のトルクによって駆動輪３８が駆動されるハイブリッド車両用の駆動装置であったが、例えば、動力分配機構１６がハイブリッド制御されない電気的ＣＶＴと称される無段変速機としての機能のみを有するような車両用の駆動装置であっても本発明は適用され得る。
【００６５】
また、前述の実施例の動力分配機構１６は、例えばエンジンによって回転駆動されるピニオンと、そのピニオンに噛み合う一対のかさ歯車が第１電動機Ｍ１および第２電動機Ｍ２に作動的に連結された差動歯車装置であってもよい。
【００６６】
また、前述の実施例の動力分配機構１６は、１組の遊星歯車装置から構成されていたが、２以上の遊星歯車装置から構成されて、定変速状態では３段以上の変速機として機能するものであってもよい。
【００６７】
また、前述の実施例では、第２歯車装置として、３つの遊星歯車装置２６、２８、３０を有する自動変速機２０が備えられていたが、第２歯車装置として、前記特許文献１のように、１つの遊星歯車装置を有する減速機構が備えられていてもよい。また、第２歯車装置として自動変速機が備えられる場合にも、自動変速機の構造は前述の実施例のものに限定されず、遊星歯車装置の数や、変速段数、およびクラッチＣ、ブレーキＢが遊星歯車装置のどの要素と選択的に連結されているかなどに特に限定はない。
【００６８】
また、前述の実施例の支持隔壁７２は、ポンプロータを収納するオイルポンプボデーとしても機能するものであってもよい。すなわち、前記ケース１２に収納される回転装置は、変速機２０に限定されるものではない。
【００６９】
なお、上述したのはあくまでも一実施形態であり、本発明は当業者の知識に基づいて種々の変更、改良を加えた態様で実施することができる。
【図面の簡単な説明】
【００７０】
【図１】本発明の一実施例であるハイブリッド車両用の駆動装置を説明する骨子図である。
【図２】図１の実施例のハイブリッド車両の駆動装置が無段或いは有段変速作動させられる場合における変速作動と、それに用いられる油圧式摩擦係合装置の作動の組み合わせとの関係を説明する作動図表である。
【図３】図１の実施例のハイブリッド車両の駆動装置が有段変速作動させられる場合における各ギヤ段の相対的回転速度を説明する共線図である。
【図４】無段変速状態に切換えられたときの動力分配機構の状態の一例を表している図であって、図３の共線図の動力分配機構部分に相当する図である。
【図５】切換クラッチＣ０の係合により有段変速状態に切換えられたときの動力分配機構の状態を表している図であって、図３の共線図の動力分配機構部分に相当する図である。
【図６】図１の実施例の駆動装置に設けられた電子制御装置の入出力信号を説明する図である。
【図７】図６の電子制御装置の制御作動の要部を説明する機能ブロック線図である。
【図８】図７の切換制御手段において、無段制御領域と有段制御領域との切換制御に用いられる予め記憶された関係を示す図である。
【図９】図７の切換制御手段において用いられる予め記憶された関係を示す図であって、図８とは別の関係を示す図である。
【図１０】図１の実施例のハイブリッド車両の駆動装置の一部の断面を示す要部断面図である。
【図１１】図１の実施例のハイブリッド車両の駆動装置の図１０とは異なる断面を示す要部断面図である。
【図１２】図１０の駆動装置を矢印XIIで示す方向から見た図であり、ケースに固定された支持隔壁におけるそのケースとの相対位置関係を説明する要部正面図である。
【符号の説明】
【００７１】
８：エンジン（原動機）
１０：車両用駆動装置
１２：トランスミッションケース
１２ａ：当接周面（嵌合周面）
１２ｂ：第１当接面（当接部位）
１２ｃ：第２当接面（当接部位）
２０：自動変速機（回転装置）
７０：入力軸（回転軸）
７２：支持隔壁
７２ｄ：外周面（嵌合周面）
７４：ステータ
７６：ロータ
８２：ボルト（第１の締結部材）
８４：ボルト（第２の締結部材）
８８：油路
Ｍ２：第２電動機
【図１】
2006142848.tif 000003
【図２】
2006142848.tif 000004
【図３】
2006142848.tif 000005
【図４】
2006142848.tif 000006
【図５】
2006142848.tif 000007
【図６】
2006142848.tif 000008
【図７】
2006142848.tif 000009
【図８】
2006142848.tif 000010
【図９】
2006142848.tif 000011
【図１０】
2006142848.tif 000012
【図１１】
2006142848.tif 000013
【図１２】
2006142848.tif 000014